(57)【要約】【課題】ユーザの意思を反映することが可能な携帯電子機器を提供すること。【解決手段】制御部４５は、着信の待受状態において、第１キーのいずれかが押下されたときには、当該第１キーに割り当てられている第１種記号を表示する第１種記号表示領域１０１及び当該第１キーに割り当てられている第２種記号を表示する第２種記号表示領域１０２を表示するように制御する。制御部４５は、第１種記号表示領域１０１及び第２種記号表示領域１０２を表示するように制御しているときに、第２キーが押下された場合には、第１種記号に対する第１の処理を実行する。また、第２種記号表示領域１０２を消去するように制御する。制御部４５は、第１種記号表示領域１０１及び第２種記号表示領域１０２を表示するように制御しているときに、第３キーが押下された場合には、第２種記号に対する第２の処理を実行する。また、第１種記号表示領域１０１を消去するように制御する。【選択図】図５
2010033429.tif 000002
【特許請求の範囲】
【請求項１】
表示部と、キー操作部と、前記表示部及び前記キー操作部の制御を行う制御部と、を備え、
前記キー操作部は、第１種記号と第２種記号とが割り当てられている複数のキーよりなる第１キーと、前記第１種記号及び前記第２種記号が割り当てられておらず、複数の機能が割り当てられている第２キーと、前記第１種記号及び前記第２種記号が割り当てられておらず、前記第２キーとは異なる機能が割り当てられている第３キーとを含んで構成されており、
前記制御部は、初期画面を前記表示部に表示させている状態において、前記第１キーのいずれかが押下されたときには、押下された当該第１キーに割り当てられている前記第１種記号及び押下された当該第１キーに割り当てられている前記第２種記号を、共に前記表示部に表示するように制御し、
前記表示部に前記第１種記号及び前記第２種記号を、共に表示するように制御しているときに、前記第２キーが押下された場合には、前記第１種記号に対する第１の処理を実行し、前記表示部への前記第２種記号の表示を抑制するように制御し、
前記表示部に前記第１種記号及び前記第２種記号を、共に表示するように制御しているときに、前記第３キーが押下された場合には、前記第２種記号に対する第２の処理を実行し、前記表示部への前記第１種記号の表示を抑制するように制御することを特徴とする携帯電子機器。
【請求項２】
前記制御部は、前記表示部に前記第１種記号及び前記第２種記号を、共に表示するように制御しているときに、前記第２キーが押下された場合には、前記第１種記号に対する第１の処理を実行し、かつ前記表示への前記第２種記号の表示を抑制するように制御すると共に、前記第３キーに対して割り当てられている機能を前記第１種記号に関連する第３の処理を実行する機能に変更することを特徴とする請求項１記載の携帯電子機器。
【請求項３】
前記制御部は、前記第１種記号に対する第１の処理を実行し、かつ前記表示部への前記第２種記号の表示を抑制するように制御したときに、前記第３キーが押下された場合には、前記第１の処理が実行された後の第１種記号に対してどのような処理が行われるかを報知制御することを特徴とする請求項２記載の携帯電子機器。
【請求項４】
前記第２キーに割り当てられている機能は、前記第１種記号に係る記号を編集する機能であり、
前記第１の処理は、前記第２キーが押下されることにより、前記第１種記号に係る記号の変換候補の中から特定の記号を選択し、確定するための処理であり、
前記第３キーに割り当てられている機能は、前記第２種記号に係る記号に基づいて電話を発信するための機能であり、
前記第２の処理は、前記第３キーが押下されることにより、前記第２種記号に係る記号を電話番号として発信するための処理であることを特徴とする請求項１乃至３のいずれかに記載の携帯電子機器。
【発明の詳細な説明】
【技術分野】
【０００１】
本発明は、操作部を有する携帯電子機器に関し、特に、複数種類の記号が同一のキーに割り当てられている携帯電子機器に関する。
【背景技術】
【０００２】
携帯電子機器は、各種の情報を表示する表示部と、複数のキーにより構成されている操作部を備えている。
【０００３】
ここで、携帯電話等の携帯電子機器では、着信を待ち受けるときやその他のアプリケーションの起動を待ち受けるときには、表示部に初期画面が表示される。この初期状態において、数字が割り当てられている操作キーが押下されると、当該押下された操作キーに対応する数字を表示部に表示する。そして、携帯電話装置は、表示部に数字が表示されている状態において、例えば、オンフックキーが押下された場合には、入力されている数字に基づいた電話発信処理を行い、また、計算機（電卓）を起動するキーが押下された場合には、入力されている数字を初期の数値として計算機アプリケーションを起動する。
【０００４】
また、携帯電子機器では、初期画面からキー操作をしたときに、当該キー操作に応じた文字が表示部に表示され、所定の操作（アプリケーションの一覧を表示するキーを押下する操作）が実行されたときに、表示されている文字列に対応するアプリケーションの一覧が表示され、当該一覧の中から一のアプリケーションを選択することによりアプリケーションの起動を実行する技術が提案されている（例えば、特許文献１を参照）。
【特許文献１】特開２００７−２００２４３号公報
【発明の開示】
【発明が解決しようとする課題】
【０００５】
ところで、初期画面の状態において、ユーザが数字と文字とが割り当てられているキーを押下した場合に、キー操作の初期段階においては、ユーザがどちらの記号を意識しながら操作しているか分からない。特許文献１の技術のように文字の入力を優先させた場合には、数字の入力が無視されることになり、一方、数字の入力を優先させると、文字の入力が無視されることになり、ユーザの意思が反映されない可能性がある。
【０００６】
本発明は、初期画面が表示されている状態において、キー操作が行われた場合に、当該キーに割り当てられている複数の記号（例えば、数字や文字）のそれぞれを、表示部に並列的に表示し、その後の操作によって表示されている一方の記号を有効にし、他方の記号が表示されている画面を消去することにより、視認性を確保しつつユーザの意思を反映することが可能な携帯電子機器を提供することを目的とする。
【課題を解決するための手段】
【０００７】
本発明に係る携帯電子機器は、上記課題を解決するために、表示部と、キー操作部と、前記表示部及び前記キー操作部の制御を行う制御部と、を備え、前記キー操作部は、第１種記号と第２種記号とが割り当てられている複数のキーよりなる第１キーと、前記第１種記号及び前記第２種記号が割り当てられておらず、複数の機能が割り当てられている第２キーと、前記第１種記号及び前記第２種記号が割り当てられておらず、前記第２キーとは異なる機能が割り当てられている第３キーとを含んで構成されており、前記制御部は、初期画面を前記表示部に表示させている状態において、前記第１キーのいずれかが押下されたときには、押下された当該第１キーに割り当てられている前記第１種記号及び押下された当該第１キーに割り当てられている前記第２種記号を、共に前記表示部に表示するように制御し、前記表示部に前記第１種記号及び前記第２種記号を、共に表示するように制御しているときに、前記第２キーが押下された場合には、前記第１種記号に対する第１の処理を実行し、前記表示部への前記第２種記号の表示を抑制するように制御し、前記表示部に前記第１種記号及び前記第２種記号を、共に表示するように制御しているときに、前記第３キーが押下された場合には、前記第２種記号に対する第２の処理を実行し、前記表示部への前記第１種記号の表示を抑制するように制御することを特徴とする。
【０００８】
また、上記携帯電子機器では、前記制御部は、前記表示部に前記第１種記号及び前記第２種記号を、共に表示するように制御しているときに、前記第２キーが押下された場合には、前記第１種記号に対する第１の処理を実行し、かつ前記表示への前記第２種記号の表示を抑制するように制御すると共に、前記第３キーに対して割り当てられている機能を前記第１種記号に関連する第３の処理を実行する機能に変更することが好ましい。
【０００９】
また、上記携帯電子機器では、前記制御部は、前記第１種記号に対する第１の処理を実行し、かつ前記表示部への前記第２種記号の表示を抑制するように制御したときに、前記第３キーが押下された場合には、前記第１の処理が実行された後の第１種記号に対してどのような処理が行われるかを報知制御することが好ましい。
【００１０】
また、上記携帯電子機器では、前記第２キーに割り当てられている機能は、前記第１種記号に係る記号を編集する機能であり、前記第１の処理は、前記第２キーが押下されることにより、前記第１種記号に係る記号の変換候補の中から特定の記号を選択し、確定するための処理であり、前記第３キーに割り当てられている機能は、前記第２種記号に係る記号に基づいて電話を発信するための機能であり、前記第２の処理は、前記第３キーが押下されることにより、前記第２種記号に係る記号を電話番号として発信するための処理であることが好ましい。
【発明の効果】
【００１１】
本発明によれば、初期画面が表示されている状態からのキー操作において、視認性を確保しつつユーザの意思を反映することができる。
【発明を実施するための最良の形態】
【００１２】
以下、本発明の実施の形態について説明する。図１は、本発明に係る携帯電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００１３】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００１４】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００１５】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００１６】
また、図２は、携帯電話装置１を折畳んだ状態の斜視図を示している。操作部側筐体部２は、外平面部に、時計やメールの着信等が表示されるサブＬＣＤ表示部３０が備えられている。
【００１７】
また、図３は、携帯電話装置１の機能を示す機能ブロック図である。携帯電話装置１は、図３に示すように、操作部１１（キー操作部）と、マイク１２と、メインアンテナ４０と、ＲＦ回路部４１と、ＬＣＤ制御部４２と、音声処理部４３と、メモリ４４と、制御部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００１８】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００１９】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知を行う。
【００２０】
ＬＣＤ制御部４２は、制御部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２１】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２２】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２３】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２４】
制御部４５は、携帯電話装置１の全体を制御しており、中央処理装置(ＣＰＵ)等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００２５】
具体的には、操作部１１は、いずれかのキーが押下されたときに、当該キーの位置情報（例えば、図４（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図４（ｂ）〜図４（ｄ）に示すように、複数のキーアサインテーブルが格納されている。なお、図４（ｂ）は、電話発信を行う際に利用されるテーブルであり、図４（ｃ）は、メモ帳アプリケーションやメールアプリケーションにおいて利用されるテーブルであり、図４（ｄ）は、テレビアプリケーションにおいてチャンネルを変更する際に利用されるテーブルである。
【００２６】
なお、記号の処理の実行とは、例えば、現在アクティブになっているアプリケーションがメモ帳の場合には、「１」や「あ」をＬＣＤ表示部２１に表示することを意味している。また、機能の処理の実行とは、例えば、現在アクティブになっているアプリケーションがテレビの場合には、表示チャンネルを１ｃｈに設定することを意味している。
【００２７】
このようにして、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００２８】
このように構成される携帯電話装置１では、初期状態である通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、携帯電話装置１では、所定のキー操作が行われた場合に一方の記号が表示されている画面を有効にしたときに、他方の記号が表示されていた画面において割り当てられていたキーアサインを変更する機能を有している。
【００２９】
ここで、上述した機能を発揮するための制御部４５の動作について説明する。なお、操作部１１は、第１キー（例えば、図１中Ｃに示す、入力操作キー１４の第２行目から第５行目に位置するキー）と、第２キー（例えば、決定操作キー１５）と、第３キー（例えば、図１中Ｂに示す、入力操作キー１４の左列最上位行に位置するオンフックキー）とを含んで構成されている。
【００３０】
第１キーは、第１種記号（例えば、「あ」、「い」、「う」等のひらがな）と第２種記号（例えば、「１」、「２」、「３」等の数字）とが割り当てられている複数のキーより構成されている。第２キーは、第１種記号及び第２種記号が割り当てられておらず、複数の機能（例えば、かなを漢字に変換する機能等）が割り当てられているキーである。第３キーは、第１種記号及び第２種記号が割り当てられておらず、第２キーとは異なる機能（例えば、電話発信を行う機能等）が割り当てられているキーである。
【００３１】
制御部４５は、着信を待ち受ける初期画面１００をＬＣＤ表示部２１に表示させている状態において（図５（ａ））、第１キーのいずれかが押下されたときには、押下された当該第１キーに割り当てられている第１種記号（例えば、「あ」、「い」、「う」等のひらがな）及び押下された当該第１キーに割り当てられている第２種記号（例えば、「１」、「２」、「３」等の数字）を、共にＬＣＤ表示部２１に表示するように制御する（図５（ｂ））。具体的には、制御部４５は、初期画面１００に替えて、第１種記号を第１種記号表示領域１０１に表示し、第２種記号を第２種記号表示領域１０２に表示するように制御する。
【００３２】
また、制御部４５は、ＬＣＤ表示部２１に第１種記号表示領域１０１及び第２種記号表示領域１０２を表示するように制御しているときに、第２キーが押下された場合には、第１種記号に対する第１の処理（例えば、かなを漢字に変換する処理）を実行する。また、制御部４５は、第２種記号の表示を抑制する。ここで、抑制とは、例えば、ＬＣＤ表示部２１から第２種記号表示領域１０２を消去するように制御したり、また、第１種記号を第２種記号よりも視覚的に強調表示し、かつ第２種記号に対する処理（編集処理）を禁止し、第１種記号に対する処理（編集処理）のみ可能な状態に制御することをいう。
【００３３】
また、制御部４５は、ＬＣＤ表示部２１に第１種記号表示領域１０１及び第２種記号表示領域１０２を表示するように制御しているときに、第３キーが押下された場合には、第２種記号表示領域１０２に入力されている第２種記号に対する第２の処理（例えば、電話発信に係る処理）を実行する。また、制御部４５は、第１種記号の表示を抑制する。ここで、抑制とは、例えば、ＬＣＤ表示部２１から第１種記号表示領域１０１を消去するように制御したり、また、第２種記号を第１種記号よりも視覚的に強調表示し、かつ第１種記号に対する処理（編集処理）を禁止し、第２種記号に対する処理（編集処理）のみ可能な状態に制御することをいう。
【００３４】
このように構成されることにより、携帯電話装置１は、通信の待ち受け状態において、キー操作が行われた場合に、第１種記号表示領域１０１及び第２種記号表示領域１０２を表示するように制御するので、容易に第１種記号及び第２種記号の双方を入力できる。さらに、携帯電話装置１は、特定のキー（第２キー又は第３キー）が押下されることにより、第１種記号表示領域１０１又は第２種記号表示領域１０２のいずれか一方が選択され、所定の処理（第１の処理又は第２の処理）が実行されると共に、選択されなかった第１種記号表示領域１０１又は第２種記号表示領域１０２をＬＣＤ表示部２１の表示画面から消去するので、不要な表示領域を消去するためのユーザによる操作を不要とし、視認性を確保しつつユーザの意思を反映することができる。
【００３５】
また、制御部４５は、ＬＣＤ表示部２１に第１種記号及び第２種記号を、共に表示するように制御しているときに、第２キー（例えば、決定操作キー１５の上下キー（文字変換キー））が押下された場合には、第１種記号に対する第１の処理を実行する。また、制御部４５は、第２種記号の表示を抑制する。ここで、抑制とは、例えば、ＬＣＤ表示部２１から第２種記号表示領域１０２を消去するように制御したり、また、第１種記号を第２種記号よりも視覚的に強調表示し、かつ第２種記号に対する処理（編集処理）を禁止し、第１種記号に対する処理（編集処理）のみ可能な状態に制御する。
【００３６】
また、制御部４５は、第３キーに対して割り当てられている機能（例えば、第２種記号表示領域１０２に表示されている数字に基づく電話発信を行う機能）を第１種記号に関連する第３の処理を実行する機能（例えば、第１種記号表示領域１０１に表示されている文字の拡大又は縮小を行う機能）に変更する。
【００３７】
具体的には、制御部４５は、通信の待ち受け状態からキー操作が行われ、ＬＣＤ表示部２１に第１種記号表示領域１０１及び第２種記号表示領域１０２を表示させているときに第３キーが押下されたときには、第２種記号表示領域１０２に表示されている数字に基づいて電話発信の処理を実行し（図５（ｂ）及び図５（ｃ）を参照）、第２種記号表示領域１０２がＬＣＤ表示部２１から消去された後に第３キーが押下されたときには、第１種記号表示領域１０１に表示されている文字の拡大又は縮小の処理を実行する（図５（ｄ）を参照）。
【００３８】
このようにして、制御部４５は、通信の待ち受け状態からキー操作が行われ、任意の記号が入力された後、決定操作キー１５が押下されるか否かによって、第３キー（オンフックキー）に対して、異なる機能を割り当てる制御を行うので、キーの構成数が少ない携帯電話装置１において、キーの数を増加させることなくキーの利用効率を向上させることができる。
【００３９】
また、制御部４５は、ＬＣＤ表示部２１に第１種記号表示領域１０１及び第２種記号表示領域１０２を表示するように制御する。その後、制御部４５は、第２キー（例えば、決定操作キー１５の上下キー（文字変換キー））が押下されたときには、第１種記号表示領域１０１に入力されている第１種記号に対する第１の処理を実行する。このときに制御部４５は、第２種記号の表示を抑制したときに、第３キーが押下された場合には、入力されている第１種記号に対してどのような処理が行われるかを報知制御する。ここで、抑制とは、例えば、ＬＣＤ表示部２１から第２種記号表示領域１０２を消去するように制御したり、また、第１種記号を第２種記号よりも視覚的に強調表示し、かつ第２種記号に対する処理（編集処理）を禁止（インアクティブ）詩、第１種記号に対する処理（編集処理）のみ可能（アクティブ）な状態に制御することである。また、報知制御とは、例えば、図５（ｄ）中Ｃに示すように、オンフックキーを押下することにより、第１種記号表示領域１０１に表示されている文字の拡大又は縮小が行える旨をオンフックキーの表面に印刷されている画像を示しながら報知する制御のことである。
【００４０】
このように構成されることにより、携帯電話装置１は、第２種記号表示領域１０２がＬＣＤ表示部２１から消去された後、第３キーが押下された場合には、どのような処理が実行されるのかを報知するので、操作における利便性の向上を図ることができる。
【００４１】
また、第２キーに割り当てられている機能は、（第１種記号表示領域１０１に表示されている）第１種記号に係る記号を編集（上下キーの押圧により、文字の変換を行い、中央キーの押圧により入力文字の確定を行い、左右キーの押圧により、カーソルの移動を行う）する機能である。また、第１の処理は、第２キーが押下されることにより、（第１種記号表示領域１０１に表示されている）第１種記号に係る記号の変換候補の中から特定の記号を選択し、確定するための処理である。また、第３キーに割り当てられている機能は、（第２種記号表示領域１０２に表示されている）第２種記号に係る記号に基づいて電話を発信するための機能である。また、第２の処理は、第３キーが押下されることにより、（第２種記号表示領域１０２に表示されている）第２種記号に係る記号を電話番号として発信するための処理である。
【００４２】
ここで、図５に示す例においては、初期画面（図５（ａ））において、キー操作（「０」と「わをん」が表面に印刷されているキー）を行った場合には、第１種記号が表示される第１種記号表示領域１０１に「わ」が表示され、同時に、第２種記号が表示される第２種記号表示領域１０２に「０」が表示される（図５（ｂ））。そして、連続して、複数のキー操作が行われ、第１種記号表示領域１０１には「わたなべ」が表示され、第２種記号表示領域１０２には「０４５６６６６＊」が表示される（図５（ｃ））。
【００４３】
また、表示画面が図５（ｂ）や図５（ｃ）等の状態において、決定操作キー１５が上下操作された場合には、制御部４５は、かなを漢字に変換する処理を実行する。また、第１種記号表示領域１０１が表示画面全体に渡って表示される（図５（ｄ））。また、制御部４５は、図５（ｄ）の状態において、入力操作キー１４の左列最上位のキー（いわゆる、オンフックキー）が押下された場合には、表示されている文字を拡大等の処理を行う（図５（ｅ））。
【００４４】
また、表示画面が図５（ｂ）や図５（ｃ）等の状態において、入力操作キー１４の左列最上位のキー（オンフックキー）が押下された場合には、制御部４５は、第２種記号表示領域１０２に表示されている数字列に基づいて電話発信の処理を行う。
【００４５】
このようにして、制御部４５は、通信の待ち受け状態からキー操作が行われ、任意の記号が入力された後、決定操作キー１５が押下されるか否かによって、オンフックキーに対して、異なる機能を割り当てる制御を行うので、キーの構成数が少ない携帯電話装置１において、各キーの利用効率を向上させることができる。
【００４６】
ここで、携帯電話装置１では、「５」と「な」が表面に印刷されている操作部１１のキーを１回押下した場合には、第１種記号表示領域１０１において、変換候補として、「５、な、ナ」等を表示するが、当該変換候補の表示をいつまでも有効な情報として扱い続ける（アクティブにし続ける）よりも、入力された情報を早い段階でユーザの必要な情報に絞り込む判断、すなわち、ユーザが意識的に入力している表示画面は、第１種記号表示領域１０１であるのか、又は第２種記号表示領域１０２であるのかを絞り込む判断をするほうが好ましい。これにより、ユーザが意識的に入力していない表示領域を消去し、制御部４５に与えている処理負担を早期に取り除くことがより好ましい。
【００４７】
携帯電話装置１は、例えば、
１．変換動作（第２キー（決定操作キー１５）の上下押下）が行われた場合や、
２．入力された文字列に対して、左送り、右送り（第２キー（決定操作キー１５）の左右押下）をした場合や、
３．入力中に入力文字種の切り替えを行った場合
等に、ユーザが意識的に入力している表示画面は第１種記号表示領域１０１であると判断する。また、第２種記号表示領域１０２を消去する。
【００４８】
また、表示画面の状態を設定し、当該設定を反映する制御部４５の動作手順について、図６に示すフローチャートを参照しながら詳細に説明する。なお、以下では、操作部１１を構成するいずれかのキーの入力があったものとする。
【００４９】
ステップＳ１において、制御部４５は、操作部１１の第１キー（図１中Ｃに示す、入力操作キー１４の第２行目から第５行目に位置するキー）が押下されたか否かを判断する。当該第１キーが押下されたと判断した場合（Ｙｅｓ）には、ステップＳ２に進み、当該第１キーの押下ではないと判断した場合（Ｎｏ）には、ステップＳ５に進む。
【００５０】
ステップＳ２において、制御部４５は、１文字目の入力であるか否かを判断する。１文字目の入力であると判断した場合（Ｙｅｓ）には、ステップＳ３に進み、１文字目の入力ではないと判断した場合（Ｎｏ）には、ステップＳ４に進む。
【００５１】
ステップＳ３において、制御部４５は、表示画面を第１種記号表示領域１０１と第２種記号表示領域１０２の２画面表示にする設定（２画面表示の設定）を行う。
【００５２】
ステップＳ４において、制御部４５は、表示画面を前画面と同様の状態に維持するように設定する。
【００５３】
ステップＳ５において、制御部４５は、変換動作（第２キー（決定操作キー１５）の上下押下）が行われたか否かを判断する。変換動作が行われたと判断した場合（Ｙｅｓ）には、ステップＳ８に進み、変換動作が行われていないと判断した場合（Ｎｏ）には、ステップＳ６に進む。
【００５４】
ステップＳ６において、制御部４５は、入力された文字列に対して、左送り又は右送り（第２キーの押下（決定操作キー１５）の左右押下）の操作が行われたか否かを判断する。左送り又は右送りの操作が行われたと判断した場合（Ｙｅｓ）には、ステップＳ８に進み、左送り又は右送りの操作が行われていないと判断した場合（Ｎｏ）には、ステップＳ７に進む。
【００５５】
ステップＳ７において、制御部４５は、機能設定操作キー１３が押下され、入力文字の種類（漢字・ひらがな、カタカナ、英数字等）の切り替えが行われたか否かを判断する。入力文字の種類の切り替えが行われたと判断した場合（Ｙｅｓ）には、ステップＳ８に進み、入力文字の種類の切り替えが行われていないと判断した場合（Ｎｏ）には、ステップＳ９に進む。
【００５６】
ステップＳ８において、制御部４５は、表示画面を第１種記号表示領域１０１のみの１画面表示にする設定（１画面表示の設定）を行う。
【００５７】
また、ステップＳ９において、制御部４５は、表示画面を前画面と同様の状態に維持するように設定する。
【００５８】
ステップＳ１０において、制御部４５は、ステップＳ３の工程による設定、ステップＳ４の工程による設定、ステップＳ８の工程による設定又はステップＳ９の工程による設定により、表示画面の設定状態が１画面表示の設定であるか否かを判断する。表示画面の設定状態が１画面設定である場合（Ｙｅｓ）には、ステップＳ１１に進み、表示画面の設定状態が１画面設定ではない場合（Ｎｏ）には、ステップＳ１２に進む。
【００５９】
ステップＳ１１において、制御部４５は、入力されたキーに応じた表示を第１種記号表示領域１０１の１画面表示で行うように制御する。
【００６０】
また、ステップＳ１２において、制御部４５は、入力されたキーに応じた表示を第１種記号表示領域１０１及び第２種記号表示領域１０２の２画面表示で行うように制御する。
【００６１】
また、上述した各工程による手順は、一例であってこれに限られず、特に、ステップＳ５乃至ステップＳ７は、図７に示すように、変換動作が行われたか否かを判断し（ステップＳ２１）、変換動作が行われた場合（Ｙｅｓ）には、次に、変換された文字による確定をするか否かを判断し（ステップＳ２２）、変換された文字による確定をする場合（Ｙｅｓ）には、ステップＳ８の工程に進み、また、ステップＳ２１の工程において、変換動作が行われない場合（Ｎｏ）又はステップＳ２２の工程において、変換された文字による確定を行わない場合（Ｎｏ）には、ステップＳ９の工程に進む手順により置換されても良い。
【００６２】
このように構成されることにより、携帯電話装置１は、通信の待ち受け状態において、キー操作が行われた場合に、当該キー操作に応じて、第１種記号表示領域１０１及び第２種記号表示領域１０２を表示するように制御し、その後の操作部１１のキー入力に応じて、ユーザが意識的に入力している表示画面が第１種記号表示領域１０１又は第２種記号表示領域１０２のいずれであるのかを判断し、ユーザが意識的に入力していない表示画面を消去し、ユーザが意識的に入力している表示画面のみを表示するので、ＬＣＤ表示部２１上の視認性を向上させることができ、また、制御部４５の負担を軽減することができる。
【００６３】
また、第１種記号表示領域１０１及び第２種記号表示領域１０２に文字列が入力された場合、どちらの表示画面が有効となるのかが決定されるまでの間は、第１種記号表示領域１０１及び第２種記号表示領域１０２において、候補となるすべてのデータを更新し続ける必要があったが、携帯電話装置１では、上述したような判断方法を実行するので、有効とされる表示画面を早期に判断し、２画面表示から１画面表示に切り替えるため、ＬＣＤ表示部２１上の視認性を向上させることができ、また、制御部４５の負担を軽減することができる。
【００６４】
なお、図４に示したキーアサインの方法は、一例であって本方法に限定されることはない。
【図面の簡単な説明】
【００６５】
【図１】携帯電話装置１の外観斜視図である。
【図２】携帯電話装置１を折畳んだ状態の斜視図である。
【図３】携帯電話装置１の機能を示す機能ブロック図である。
【図４】キーアサインについての説明に供する図である。
【図５】初期画面から第１種記号表示領域と第２種記号表示領域による分割画面に表示状態が変化し、その後、第１種記号表示領域に表示状態が変化する様子についての説明に供する図である。
【図６】制御部による第１の動作処理の方法についての説明に供するフローチャートである。
【図７】制御部による第１の動作処理の方法についての説明に供するフローチャートである。
【符号の説明】
【００６６】
１  携帯電話装置
１１  操作部（キー操作部）
２１  ＬＣＤ表示部（表示部）
４４  メモリ
４５  制御部
１００  初期画面
１０１  第１種記号表示領域
１０２  第２種記号表示領域
【図１】
2010033429.tif 000003
【図２】
2010033429.tif 000004
【図３】
2010033429.tif 000005
【図４】
2010033429.tif 000006
【図５】
2010033429.tif 000007
【図６】
2010033429.tif 000008
【図７】
2010033429.tif 000009